(57)【要約】【課題】極めて簡単な構造で、挿入片を挟着溝に抜けない状態で固定する。【解決手段】フレームレス防火ドアは、側縁と平行に挿入片３を折曲して設けている第１の表面板１と、この挿入片３を挿入する挟着溝４をＵ曲して設けている第２の表面板２とを備える。挿入片３は、先端縁部を挟着溝４のＵ曲方向に折り返すように折曲して第１の折り返し積層片３１を設けて片面を段差面３２としている。第２の表面板２の挟着溝４は、先端縁部を溝の内側に折り返すように折曲して第２の折り返し積層片４１を設けて片面を段差面４２としている。フレームレス防火ドアは、挿入片３に設けている第１の折り返し積層片３１を、挟着溝４の第２の折り返し積層片４１よりも内部に案内して、第１の折り返し積層片３１の段差面３２と第２の折り返し積層片４１の段差面４２とを係止状態として、互いの先端面を当接させて第１の表面板１を第２の表面板２に抜けないように固定している。【選択図】図５
2010001623.tif 000002
【特許請求の範囲】
【請求項１】
建物用のフレームレス防火ドアであって、ドアの第１の表面に固定している金属板からなる第１の表面板(1)と、ドアの第１の表面と反対側の面である第２の表面に固定している金属板からなる第２の表面板(2)とを備え、
第１の表面板(1)は、その側縁と平行に挿入片(3)を折曲して設けており、第２の表面板(2)は、この挿入片(3)を挿入する挟着溝(4)をＵ曲して設けており、挿入片(3)が挟着溝(4)に挿入されて、第１の表面板(1)と第２の表面板(2)を固定しており、
さらに、前記挿入片(3)は先端縁部を、所定の幅で挟着溝(4)のＵ曲方向に折り返すように折曲して先端縁に沿って第１の折り返し積層片(31)を設けて片面を段差面(32)としており、第２の表面板(2)の挟着溝(4)を構成している金属板は、Ｕ曲して挟着溝(4)としてなる先端縁部を所定の幅で溝の内側に折り返すように折曲して、溝の開口部を狭くする第２の折り返し積層片(41)を設けて片面を段差面(42)としており、
前記挿入片(3)に設けている第１の折り返し積層片(31)が、前記挟着溝(4)の第２の折り返し積層片(41)よりも内部に案内されて、第１の折り返し積層片(31)の段差面(32)と第２の折り返し積層片(41)の段差面(42)が互いに係止状態となって、第１の折り返し積層片(31)と第２の折り返し積層片(41)の先端面が、互いに当たって、第１の表面板(1)が第２の表面板(2)から抜けないように固定してなる建物用のフレームレス防火ドア。
【請求項２】
前記第１の表面板(1)と前記第２の表面板(2)が、厚さを０．５ｍｍ〜１．８ｍｍとする鉄板である請求項１に記載される建物用のフレームレス防火ドア。
【請求項３】
前記挿入片(3)が前記挟着溝(4)に挿入された状態で、互いに対向して配設される第１の折り返し積層片(31)と第２の折り返し積層片(41)の先端面の隙間(50)が、０ｍｍ〜１ｍｍである請求項１に記載される建物用のフレームレス防火ドア。
【請求項４】
前記第１の表面板(1)が、側縁に沿って内側に折り返すように折曲されたＵ曲積層部(6)を備え、このＵ曲積層部(6)の内側に積層している内側積層片(7)を、ドアの内側に直角に折曲して挿入片(3)を設けている請求項１に記載される建物用のフレームレス防火ドア。
【請求項５】
前記第２の表面板(2)が、側縁に沿って内側に折り返すように折曲されたＵ曲積層部(6)を備え、このＵ曲積層部(6)の内側に積層している内側積層片(7)を、ドアの内側に直角に折曲して側面プレート(9)を設けており、この側面プレート(9)の先端に挟着溝(4)を設けている請求項１に記載される建物用のフレームレス防火ドア。
【発明の詳細な説明】
【技術分野】
【０００１】
本発明は、建物用のドアに関し、とくに四角形に枠組みしている補強フレームを省略したフレームレス防火ドアに関する。ただし、本発明において「フレームレス防火ドア」とは、四角形に枠組みしている全てのフレーム、すなわち縦枠と横枠の両方を省略したものに特定するものではなく、縦枠のみを省略したドアも含む広い意味に使用する。
【背景技術】
【０００２】
現在の一般的なドアの水平断面を図１に示す。このドアは、縦枠と横枠を四角形に枠組したフレーム９１の両面に、第１と第２の表面板９２を固定している。このドアは、Ｃチャンネル９３で四角形のフレーム９１を作り、このフレーム９１の両面に表面板９２を固定している。第１と第２の表面板９２は、側縁を内側にコ字状に折り曲げて、互いに当接するようにフレーム９１に固定している。この図に示すドアは、これまでに製造方法や構造が充分に考えられて、限界に近い状態までコストダウンされている。このため、さらにコストダウンすることは極めて難しい。重いフレームを方形状に組み立てるので、原料コストと組み立て加工のコストが高くなるからである。このために、図１に示すドアは、さらに安価に多量生産することができない。
【０００３】
図１に示す従来のドアは、周縁に沿って厚い金属製のＣチャンネル９３を内蔵するので、全体の重量が相当に重くなる。たとえば、Ｃチャンネルの両面に、０．６ｍｍの金属板である表面板を固定したドアの全重量は約４０ｋｇと相当に重くなる。軽量化するために、Ｃチャンネルを薄くすると強度が著しく低下する欠点がある。Ｃチャンネルがドアの補強材に使用されているからである。重いドアは、建物への取り付け部分に強靱な強度を要求する。ドアを開閉するときに、取り付け部分に強い衝撃を与えるからである。このためドアのコストが高くなるばかりでなく、取り付け部分のコストも高くなる欠点がある。
【０００４】
さらに、図１に示す構造のドアは、表面板の加工に極めて高い精度が要求される。加工精度の誤差が、組み立て後におけるクリアランスの差となって、ドアの品質を低下させるからである。このため、この構造のドアは、部品コストと加工コストの両方が高くなって、製造コストが相当に高くなる欠点がある。
【０００５】
本発明者は、この欠点を解消することを目的として、図２に示す構造のフレームレスドアを開発した。（特許文献１）
このフレームレスドアは、以下の構造を備える。    
（ａ） 第１の表面板８１と第２の表面板８２と、一対の表面板の間の中空部に配設されている芯材８５とを備える。
（ｂ） 第１の表面板８１は両側をコ字状に折曲して、所定の厚さのフレームレスドアの両側部を構成し、ドアの両側部の間に開口部を形成している。
（ｃ） 第１の表面板８１は、折曲部８３の先端縁に、第２の表面板８２の両側縁を連結する連結部８４を設けている。
（ｄ） 第２の表面板８２を第１の表面板８１に固定して、第１の表面板８１と第２の表面板８２とで閉鎖構造のフレームレスドアを構成できるように、第２の表面板８２は、第１の表面板８１の開口部に固定できる外形に形成している。
（ｅ） 第１の表面板８１の連結部８４に、第２の表面板８２の両側縁が連結されて中空箱形のフレームレスドアを構成している。
【特許文献１】特開平７−３０５５７３号公報
【特許文献２】特開２００７−３１５０４６号公報
【発明の開示】
【発明が解決しようとする課題】
【０００６】
以上のフレームレスドアは、ドアの両面をバランスよく同じ強度とするのが難しい欠点がある。本発明者は、この欠点を解決することを目的として、図３の断面図に示すフレームレス防火ドアを開発した。このフレームレス防火ドアは、ドアの第１の表面に固定している第１の表面板７１と、ドアの第１の表面と反対側の面である第２の表面に固定している第２の表面板７２とを備える。第１の表面板７１と第２の表面板７２は金属板である。第１の表面板７１は、その側縁に沿って、ドアの内側に折曲している挿入片７３を有し、第２の表面板７２は、挿入片７３を挿入する挟着溝７４を金属板を折曲して設けている。第１の表面板７１と第２の表面板７２は、挿入片７３を挟着溝７４に挿入して、両側の側縁で連結している。
【０００７】
図３のフレームレス防火ドアは、挿入片７３を挟着溝７４に挿入して、第１の表面板７１を第２の表面板７２に固定して組み立てできるので能率よく製造できる。しかしながら、この構造のフレームレス防火ドアは、第１の表面板７１と第２の表面板７２とを強固に連結するのが難しい。この欠点は、特許文献２に記載するように、挿入片を挟着溝で弾性的に挟着する構造で少なくできる。しかしながら、この構造によっても、フレームレス防火ドアとしては十分な強度で第１の表面板と第２の表面板を固定できない。それは、防火ドアは、火事などで片面が高温に加熱されてドアが熱歪みを起こすときに、挿入片に強い引き抜き力が作用して、挟着溝から引き抜かれるからである。挿入片の引き抜き力は、挟着溝が強く挿入片を弾性的に挟着する構造、たとえば第２の表面板を厚くて硬い金属板を使用することで少なくできる。ただ、この構造は、第２の表面板を厚く、あるいは高品質な金属板を使用する必要があって、重くて部品コストが高くなり、また挿入片を挟着溝にスムーズに挿入できなくなって、製造に手間がかかる欠点がある。
【０００８】
本発明は、さらにこの欠点を解決することを目的に開発されたものである。本発明の重要な目的は、極めて簡単な構造で、挿入片を挟着溝に抜けない状態で固定できるフレームレス防火ドアを提供することにある。
また、本発明の他の大切な目的は、簡単かつ容易に、しかもスムーズに挿入片を挟着溝に挿入して、能率よく組み立てできるフレームレス防火ドアを提供することにある。
さらにまた、本発明の他の大切な目的は、火災などで加熱される状態においても、挿入片を挟着溝に抜けないように固定できるフレームレス防火ドアを提供することにある。
【課題を解決するための手段及び効果】
【０００９】
本発明のフレームレス防火ドアは、建物用のフレームレス防火ドアであって、ドアの第１の表面に固定している金属板からなる第１の表面板１と、ドアの第１の表面と反対側の面である第２の表面に固定している金属板からなる第２の表面板２とを備える。第１の表面板１は、その側縁と平行に挿入片３を折曲して設けており、第２の表面板２は、この挿入片３を挿入する挟着溝４をＵ曲して設けており、挿入片３を挟着溝４に挿入して、第１の表面板１と第２の表面板２を固定している。さらに、挿入片３は、先端縁部を所定の幅で挟着溝４のＵ曲方向に折り返すように折曲して先端縁に沿って第１の折り返し積層片３１を設けて片面を段差面３２としており、第２の表面板２の挟着溝４を構成している金属板は、Ｕ曲して挟着溝４としてなる先端縁部を所定の幅で溝の内側に折り返すように折曲して、溝の開口部を狭くする第２の折り返し積層片４１を設けて片面を段差面４２としている。フレームレス防火ドアは、挿入片３に設けている第１の折り返し積層片３１を、挟着溝４の第２の折り返し積層片４１よりも内部に案内して、第１の折り返し積層片３１の段差面３２と第２の折り返し積層片４１の段差面４２とを互いに係止状態として、第１の折り返し積層片３１と第２の折り返し積層片４１の先端面とを互いに当接させて、第１の表面板１を第２の表面板２に抜けないように固定している。
【００１０】
このフレームレス防火ドアは、極めて簡単な構造で、挿入片を挟着溝に抜けない状態でしっかりと固定できる。それは、挿入片と挟着溝に設けている折り返し積層片が互いに引っかかって、挿入片が挟着溝から抜けるのが阻止されるからである。とくに、この構造は、単に挿入片を挟着溝で挟着して抜け止めするのではなく、挿入片と挟着溝の両方の表面に折り返し積層片を設けて段差面を設け、これらの段差面を互い係止状態として、折り返し積層片の先端面が互いに当たる構造で抜け止めする。この構造は、挿入片に引き抜き力が作用するとき、挿入片に設けている第１の折り返し積層片の先端面が挟着溝に設けている第２の折り返し積層片の先端面に当たって引き抜きが阻止される。この状態で引き抜きを阻止する構造は、所定の幅で折り返すように折曲している折り返し積層片が変形しないかぎり、挿入片は挟着溝から引き抜きされない。挿入片に引き抜き力が作用するとき、折り返し積層片には、その両面と平行な方向に引き抜き力が作用する。この方向に作用する引き抜き力は、折り返すように折曲している折り返し積層片を平面状に復元する作用はなく、直線状の折り返し積層片をく字状に変形するように作用するが、金属板からなる折り返し積層片は、この方向の力に対して極めて強く、挿入片に作用する強い引き抜き力によっても変形せず、挿入片が挟着溝から引き抜かれるのを確実に阻止する。
【００１１】
さらに、以上のフレームレス防火ドアは、簡単かつ容易に、しかもスムーズに挿入片を挟着溝に挿入して、能率よく組み立てできる特徴もある。それは、挿入片を挟着溝で強く挟着して抜け止めするのでなく、挿入片の片面と、挟着溝の内面に設けている段差面を係止状態として、引き抜きを阻止するからである。この構造は、挟着溝が挿入片を強く挟着して引き抜きを阻止する必要がない。このため、挿入片を挟着溝に挿入するときに、挟着溝を弾性的に変形させて、スムーズに挿入できる。
【００１２】
さらに、以上のフレームレス防火ドアは、挿入片と挟着溝の先端縁部を所定の幅で折り返して折曲して折り返し積層片を設けているので、挿入片と挟着溝の先端部を折曲された折り返し積層片で補強できる特徴もある。このように、折り返し積層片で補強される挿入片と挟着溝は、所定の形状に保持された状態で、挿入片を挟着溝に挿入して互いに連結できるので能率よく組み立てできると共に、長期間にわたって挿入片が挟着溝から引き抜かれるのを確実に阻止できる。
【００１３】
さらにまた、以上のフレームレス防火ドアは、火災などで片面が加熱されてドアが熱歪みを起こす状態となっても、挿入片を挟着溝に抜けないように固定できる特徴がある。このことは、とくに防火ドアに大切である。それは、火災で表面板が分離されると、火炎がドアを透過はて防火特性が低下からである。
【００１４】
さらに、本発明の請求項２の建物用のフレームレス防火ドアは、第１の表面板１と第２の表面板２とを、厚さを０．９ｍｍ〜１．８ｍｍとする鉄板としている。
【００１５】
さらに、本発明の請求項３の建物用のフレームレス防火ドアは、挿入片３が挟着溝４に挿入された状態で、互いに対向して配設される第１の折り返し積層片３１と第２の折り返し積層片４１の先端面の隙間５０を、０ｍｍ〜１ｍｍとしている。
このフレームレス防火ドアは、互いに接近する挿入片と挟着溝の折り返し積層片の先端面の隙間を狭くしているので、第１の表面板を第２の表面板の定位置に確実に固定できる。
【００１６】
さらに、本発明の請求項４の建物用のフレームレス防火ドアは、第１の表面板１が、側縁に沿って内側に折り返すように折曲されたＵ曲積層部６を備え、このＵ曲積層部６の内側に積層している内側積層片７を、ドアの内側に直角に折曲して挿入片３を設けている。
この構造のフレームレス防火ドアは、Ｕ曲積層部でもって表面板の側縁を補強して、挿入片を挟着溝に挿入して確実に固定できる特徴がある。
【００１７】
さらにまた、本発明の請求項５の建物用のフレームレス防火ドアは、第２の表面板２が、側縁に沿って内側に折り返すように折曲されたＵ曲積層部６を備え、このＵ曲積層部６の内側に積層している内側積層片７を、ドアの内側に直角に折曲して側面プレート９を設けており、この側面プレート９の先端に挟着溝４を設けている請求項１に記載される。
この構造のフレームレス防火ドアは、Ｕ曲積層部でもって表面板の側縁側を補強しながら、側面プレートでＵ曲積層部を補強し、さらに、この側面プレートの先端部に設けた挟着溝に挿入片を挿入して、側面プレートと挟着溝と挿入片とでドアの側縁を補強して強靱な構造にできる。
【発明を実施するための最良の形態】
【００１８】
以下、本発明の実施例を図面に基づいて説明する。ただし、以下に示す実施例は、本発明の技術思想を具体化するための建物用のフレームレス防火ドアを例示するものであって、本発明はフレームレス防火ドアを以下の実施例には特定しない。
【００１９】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００２０】
図４ないし図７は、本発明の第１の実施例にかかる建物用のフレームレス防火ドアを、図８は、本発明の第２の実施例にかかるフレームレス防火ドアを、図９は、本発明の第３の実施例にかかるフレームレス防火ドアをそれぞれ示している。これ等の図に示すフレームレス防火ドアは、第１の表面（図５及び図８において下面、図９において上面）に固定している第１の表面板１と、ドアの第１の表面と反対側の面である第２の表面（図５及び図８において上面、図９において下面）に固定している第２の表面板２と、第１の表面板１と第２の表面板２の上縁と下縁に固定している上枠１１及び下枠１２を備える。
【００２１】
第１の表面板１と第２の表面板２は金属板である。表面板の金属板は、たとえば、厚さ１ｍｍである。ただし、表面板に使用する金属板の厚さは、たとえば０．５ｍｍ〜１．８ｍｍ、好ましくは０．８ｍｍ〜１．５ｍｍ、さらに好ましくは、１ｍｍ〜１．５ｍｍとすることができる。第１の表面板１と第２の表面板２は、鉄又は鉄合金からなる金属板である。金属板は、表面をプリントし、あるいは化粧シートを接着して綺麗に表面処理している。
【００２２】
第１の表面板１は、両側の側縁と平行に、ドアの内側に折曲して挿入片３を設けている。第２の表面板２は、この挿入片３を挿入する挟着溝４を設けており、挿入片３を挟着溝４に挿入して、第１の表面板１と第２の表面板２を両側の側縁部で連結している。第１の表面板１と第２の表面板２は、ドアの外側表面の全面を覆う四角形で、両側縁を折曲加工している。
【００２３】
図５と図８のフレームレス防火ドアは、第１の表面板１の両側の側縁から中央に離れた位置に挿入片３を設けている。これらの第１の表面板１は、両側縁に沿って内側に折り返すように折曲しているＵ曲積層部６を両側縁部に設け、さらに、このＵ曲層部６の内側に積層している内側積層片７の先端部をドアの内側に直角に折曲して挿入片３としている。図９のフレームレス防火ドアは、第１の表面板１の両側縁部を内側に直角に折曲して挿入片３としている。
【００２４】
図５のフレームレス防火ドアは、第１の表面板１の両側縁に設けたＵ曲積層部６の先端縁をドアの側面と同一平面上として、Ｕ曲積層部６の先端部をドアの側面から突出しない構造としている。この構造のフレームレス防火ドアは、左右対称であって、表と裏が同じ形状となる。
【００２５】
図８のフレームレス防火ドアは、第１の表面板１の一方の側縁（図において右側縁）である第１の側縁に、Ｕ曲積層部６からなる防犯用目板５を設けている。このフレームレス防火ドアは、Ｕ曲積層部６の幅を広くして、Ｕ曲積層部６の先端部をドアの側面から突出させて防犯用目板５としている。このように、第１の側縁に設けたＵ曲積層部６を防犯用目板５とするフレームレス防火ドアは、ドア枠とドアの間にできる隙間を防犯用目板５で閉塞できるので、防犯性に優れたドアを実現できる。このフレームレス防火ドアは、第１の表面板１の第１の側縁に設けたＵ曲積層部６を防犯用目板５とするが、第２の側縁に設けたＵ曲積層部６は、ドアの側面から突出せず防犯用目板とならない。すなわち、第２の側縁のＵ曲積層部６は、ドアの側面から突出しないように、防犯用目板５となる第１の側縁に設けているＵ曲積層部６よりも幅を狭くしている。
【００２６】
挿入片３は、先端縁部を所定の幅で折り返すように折曲して、先端縁に沿って第１の折り返し積層片３１を設けている。挿入片３は、図５、及び図７ないし図９に示すように、第１の折り返し積層片３１を設けた部分を厚く、第１の折り返し積層片のない部分を薄くして、第１の折り返し積層片３１でもって片側の表面を段差面３２としている。図の挿入片３は、第１の折り返し積層片３１の幅（Ｗ１）を、挿入片３の全幅（Ｗ）の約５０％として、挿入片３の中央部に沿って段差面３２を設けている。折り返し積層片の幅（Ｗ１）は、挿入片の全幅（Ｗ）の２０％〜８０％とすることができる。折り返し積層片の幅（Ｗ１）は、狭すぎても広すぎても、挿入片を抜けないように挟着溝に固定できない。挿入片を強固に挟着溝に抜けないように、最も強固に固定するために、好ましくは、折り返し積層片の幅（Ｗ１）は、挿入片の全幅（Ｗ）の３０％〜７０％とする。
【００２７】
さらに、図のフレームレス防火ドアは、挿入片３の全幅（Ｗ）を、ドアの厚さ（Ｔ）の約５０％としている。このフレームレス防火ドアは、挿入片３を挟着溝４に挿入して第１の表面板１と第２の表面板２とを確実に固定できる。ただし、挿入片の全幅（Ｗ）は、ドアの厚さ（Ｔ）の２０％〜８０％とすることもできる。挿入片の全幅を狭くすると、挟着溝に挿入される幅が狭くなって、挿入片を挟着溝に強固に固定するのが難しくなる。反対に挿入片の幅を広くすると、第１の表面板に加工する金属板の幅が広くなって、材料コストが高く、ドアが重くなる。したがって、挿入片の全幅（Ｗ）は、第１の表面板と第２の表面板とに要求される連結強度と、材料コストとドアの重量とを考慮して、前述の範囲で最適値に設計され、好ましくは、ドアの厚さ（Ｔ）の３０％〜７０％に設定される。
【００２８】
第２の表面板２は、第１の表面板１を連結する第１の表面側に、第１の表面板１の両側に沿って設けた挿入片３を挿入して連結する挟着溝４を設けている。第２の表面板２は、両側縁部において、金属板を折曲加工して、第１の表面板１の挿入片３の挿入位置に挟着溝４を設けている。
【００２９】
図５と図８のフレームレス防火ドアは、第２の表面板２を、第１の側縁と第２の側縁で内側に直角に折曲して、ドアの側面プレート９を設けている。側面プレート９は、その幅をドアの厚さとしている。さらに、側面プレート９の先端縁を内側に直角に折曲して、第１の表面板１の内面に面接触させる折返片１０を設けている。折返片１０は、その先端に設けている挟着溝４を、第１の表面板１の挿入片３を挿入する位置とする幅としている。折返片１０の先端は、さらに内側に直角に折曲すると共に、溝形に折曲して挟着溝４を設けている。挟着溝４は、挿入される挿入片３を弾性的に挟着する幅に折曲加工している。
【００３０】
図９のフレームレス防火ドアは、第２の表面板２を、第２の側縁で内側に直角に折曲して、ドアの側面プレート９を設けると共に、第１の側縁に沿って内側に折り返すように折曲してＵ曲積層部６を設け、さらに、このＵ曲層部６の内側に積層している内側積層片７の先端部をドアの内側に直角に折曲して側面プレート９を設けている。この第２の表面板２は、側面プレート９の先端縁を内側に折曲して折返片を設けることなく、側面プレート９の先端部の内側に挟着溝４を設けている。第２の表面板２は、側面プレート９の先端縁部を折り返すように折曲し、さらに挟着溝４の底で折り返すように溝形に折曲して、挟着溝４を設けている。挟着溝４は、挿入片３の挿入方向が、側面プレート９と平行な方向となる。この挟着溝４も、挿入される挿入片３を弾性的に挟着する幅に折曲加工している。さらに、図９のフレームレス防火ドアは、第１の側縁に設けたＵ曲積層部６を、ドアの側面から突出させて防犯用目板５としている。このフレームレス防火ドアも、ドア枠とドアの間にできる隙間を防犯用目板５で閉塞できるので、防犯性に優れたドアを実現できる。
【００３１】
第２の表面板２の挟着溝４を構成している金属板は、Ｕ曲して挟着溝４としているその先端縁部を、所定の幅で溝の内側に折り返すように折曲加工して挟着溝４の内側に積層される第２の折り返し積層片４１を設けている。この第２の折り返し積層片４１は、図５、及び図７ないし図９に示すように、溝の開口部にあって、挟着溝４の幅を狭くして、挟着溝４の片側の内面を段差面４２としている。挟着溝４は、第２の折り返し積層片４１を設けている部分の内幅（Ｈ２）が狭く、第２の折り返し積層片４１のない部分の内幅（Ｈ１）を広くして、内面を段差面４２としている。挟着溝４は、内幅の広い部分に、挿入片３に設けている第１の折り返し積層片３１が案内される。したがって、第２の折り返し積層片４１の幅（Ｗ２）は、挿入片３の第１の折り返し積層片３１を設けない部分の幅となる。図のフレームレス防火ドアは、第１の折り返し積層片３１の幅（Ｗ１）を、挿入片３の全幅（Ｗ）の約５０％とするので、第２の折り返し積層片４１の幅（Ｗ２）も挟着溝４の深さ（Ｄ）の約５０％として、第１の折り返し積層片３１を設けない部分に、第２の折り返し積層片４１を配設している。このフレームレス防火ドアは、挿入片３を挟着溝４に挿入する状態で、互いに対向して配設される第１の折り返し積層片３１と第２の折り返し積層片４１の先端面の隙間５０がほぼ０となって、第１の折り返し積層片３１と第２の折り返し積層片４１の先端面が接触する。このフレームレス防火ドアは、第１の折り返し積層片３１と第２の折り返し積層片４１の先端面が接触する状態で挿入片３を挟着溝４に挿入しているので、第１の表面板１は、第２の表面板２に対して全く抜けない状態で固定される。ただし、第１の折り返し積層片３１と第２の折り返し積層片４１の先端面の隙間５０は、たとえば、０ｍｍ〜１ｍｍ、好ましくは０〜０．５ｍｍ、さらに好ましくは０〜０．３ｍｍとすることもできる。第１の折り返し積層片３１と第２の折り返し積層片４１の隙間５０を狭くして、第１の表面板１を第２の表面板２から抜けないように連結できるが、この隙間５０を狭くすると、高い加工精度が要求される。それは、加工精度が低いと、第２の折り返し積層片４１を、第１の折り返し積層片３１のない領域に挿入できなくなって、第１の折り返し積層片３１と第２の折り返し積層片４１が先端部で重なって、係止状態で抜け止めできなくなるからである。
【００３２】
以上のフレームレス防火ドアは、挿入片３に設けている第１の折り返し積層片３１を、挟着溝４の第２の折り返し積層片４１よりも内部に挿入して、第１の折り返し積層片３１の段差面３１と第２の折り返し積層片４１の段差面４２を互いに係止状態として、第１の表面板１と第２の表面板２とを抜けないように連結する。すなわち、第１の折り返し積層片３１と第２の折り返し積層片４１とを同一面に配置することで、第１の折り返し積層片３１と第２の折り返し積層片４１の先端面を互いに当たる状態として、第１の表面板１を第２の表面板２から抜けないように固定している。
【００３３】
さらに、フレームレス防火ドアは、図６の断面図に示すように、第１の表面板１と第２の表面板２の上縁に沿って上枠１１を、下縁に沿って下枠１２を内蔵する。第１の表面板１と第２の表面板２は、上縁を上枠１１に固定し、下縁を下枠１２に固定している。上枠１１と下枠１２は、表面板よりも厚い金属板を溝形に折曲加工しているチャンネル材である。チャンネル材の上枠１１は、溝の開口部を上向きとし、下枠１２は溝の開口部を下向きとして、第１の表面板１と第２の表面板２の間に固定している。さらに、これ等の図に示すフレームレス防火ドアは、第１の表面板１と第２の表面板２の上縁と下縁を互いに内側に直角に折曲して積層し、積層部１３を結合している。表面板の積層部１３は、スポット溶接し、あるいはリベットで連結し、あるいはまた接着して結合される。
【００３４】
さらに、図５、図８、及び図９に示すフレームレス防火ドアは、第２の側縁側であって、蝶番１４を固定する位置に固定台１６を内蔵している。固定台１６は、表面板よりも厚い鉄などの金属材をコ字状に折曲加工しているチャンネル材１８である。チャンネル材１８は、ドアの内幅に等しい幅の固定プレート１８Ａの両側に側壁１８Ｂを有し、横断面形状をコ字状としている。
【００３５】
蝶番１４を固定する固定台１６は、図に示すように、ドアの側面プレート９の内面に固定プレート１８Ａを接触して固定される。この固定台１６は、表面板に接着して固定され、あるいは止ネジ１９で固定される。蝶番１４は、止ネジ１９を、固定台１６であるチャンネル材１８の固定プレート１８Ａにねじ込んで固定される。図４のフレームレス防火ドアは、上下方向の３カ所に固定台１６を内蔵して、３個の蝶番１４を固定している。
【００３６】
さらに、図４に示すフレームレス防火ドアは、第１の側縁側であって、ドアロック（図示せず）を固定する位置に固定台１７を内蔵している。この固定台１７は、図示しないが、表面板よりも厚い鉄などの金属材をコ字状に折曲加工しており、第１の表面板１と第２の表面板２の間に固定されて、第１の側縁側に配置されるドアロックを定位置に固定している。
【００３７】
以上のフレームレス防火ドアは、以下の工程で組み立てられる。
（１）第２の表面板２の内面に、上枠１１と下枠１２と固定台１６、１７を接着して固定する。
（２）第２の表面板２に第１の表面板１を連結すると共に、第１の表面板１の内面を、上枠１１と下枠１２と固定台１６、１７に接着する。第１の表面板１は、挿入片３を挟着溝４に挿入して第２の表面板２に連結される。このとき、挿入片３と挟着溝４は、接着して結合される。
（３）第１の表面板１と第２の表面板２は、上側縁と下側縁の積層部１３を接着して結合する。
（４）第２の側縁側に内蔵している固定台１６に蝶番１４を固定すると共に、第１の側縁側に内蔵している固定台１７にドアロックを固定する。
【図面の簡単な説明】
【００３８】
【図１】従来の一般的なドアの水平断面図である。
【図２】従来のフレームレスドアの分解断面図である。
【図３】本発明者が先に開発したフレームレス防火ドアの断面図である。
【図４】本発明の第１の実施例にかかる建物用のフレームレス防火ドアの正面図である。
【図５】図４に示す建物用のフレームレス防火ドアの一部拡大水平断面図である。
【図６】図４に示す建物用のフレームレス防火ドアの垂直断面図である。
【図７】図５に示すフレームレス防火ドアの要部拡大分解断面図である。
【図８】本発明の第２の実施例にかかる建物用のフレームレス防火ドアの一部拡大水平断面図である。
【図９】本発明の第３の実施例にかかる建物用のフレームレス防火ドアの一部拡大水平断面図である。
【符号の説明】
【００３９】
１…第１の表面板
２…第２の表面板
３…挿入片
４…挟着溝
５…防犯用目板
６…Ｕ曲積層部
７…内側積層片
９…側面プレート
１０…折返片
１１…上枠
１２…下枠
１３…積層部
１４…蝶番
１６…固定台
１７…固定台
１８…チャンネル材                １８Ａ…固定プレート
１８Ｂ…側壁
１９…止ネジ
３１…第１の折り返し積層片
３２…段差面
４１…第２の折り返し積層片
４２…段差面
５０…隙間
７１…第１の表面板
７２…第２の表面板
７３…挿入片
７４…挿入溝
８１…第１の表面板
８２…第２の表面板
８３…折曲部
８４…連結部
８５…芯材
９１…フレーム
９２…表面板
９３…Ｃチャンネル
【図１】
2010001623.tif 000003
【図２】
2010001623.tif 000004
【図３】
2010001623.tif 000005
【図４】
2010001623.tif 000006
【図５】
2010001623.tif 000007
【図６】
2010001623.tif 000008
【図７】
2010001623.tif 000009
【図８】
2010001623.tif 000010
【図９】
2010001623.tif 000011